(57)【要約】【課題】消費電力の低減およびコストダウンを実現しつつ輝点欠陥の発生を防止することができる液晶表示装置ならびにその駆動回路および駆動方法を提供する。【解決手段】補助容量電極駆動回路７００は、１水平走査期間毎に高電位と低電位とが交互に現れる補助容量電極駆動信号を出力する。共通電極駆動回路６００は、１水平走査期間毎に高電位と低電位とが交互に現れるように共通電極５３を駆動する。ＣＳ電位設定回路８００内で、ダイオード８１のアノードを補助容量電極駆動信号線ＣｓＬと接続し、ダイオード８１のカソードをグランド配線８２と接続する。また、コンデンサ８５を介して、ダイオード８１のアノードと補助容量電極駆動信号線ＣｓＬとの接続点ｂと補助容量電極駆動回路７００とを接続する。これにより、ＣＳ電位設定回路８００は、補助容量電極５４の電位の上限値を設定するためのクランプ回路として機能する。【選択図】図１
2010092063.tif 000002
【特許請求の範囲】
【請求項１】
画像を表示するためにマトリクス状に配置された画素電極と、第１の所定容量である液晶容量が形成されるように前記画素電極と対向して設けられ所定期間毎に高電位と低電位とに交互に設定される共通電極と、第２の所定容量である補助容量が形成されるように前記画素電極と同一基板上に設けられ、前記共通電極との間に所定の電位差が保たれるよう前記共通電極が高電位と低電位とに交互に設定されるのと同じタイミングで高電位と低電位とに交互に設定される補助容量電極と、前記補助容量電極を駆動するための補助容量電極駆動信号を伝達する補助容量電極駆動信号線とを備える表示部を駆動する駆動回路であって、
前記補助容量電極駆動信号を前記補助容量電極駆動信号線に出力する補助容量電極駆動回路と、
容量素子と、前記補助容量電極駆動信号線に接続されたアノードおよびグランド配線に接続されたカソードを有する整流素子とを含み、前記整流素子のアノードの電位を前記補助容量電極駆動信号の電位とする補助容量電位設定回路と
を備え、
前記整流素子のアノードと前記補助容量電極駆動信号線との接続点は、前記容量素子を介して前記補助容量電極駆動回路と接続されていることを特徴とする、駆動回路。
【請求項２】
請求項１に記載の駆動回路を備えた液晶表示装置。
【請求項３】
画像を表示するためにマトリクス状に配置された画素電極と、第１の所定容量である液晶容量が形成されるように前記画素電極と対向して設けられ所定期間毎に高電位と低電位とに交互に設定される共通電極と、第２の所定容量である補助容量が形成されるように前記画素電極と同一基板上に設けられ、前記共通電極との間に所定の電位差が保たれるよう前記共通電極が高電位と低電位とに交互に設定されるのと同じタイミングで高電位と低電位とに交互に設定される補助容量電極と、前記補助容量電極を駆動するための補助容量電極駆動信号を伝達する補助容量電極駆動信号線とを備える表示部の駆動方法であって、
前記表示部の外部に設けられた補助容量電極駆動回路が前記補助容量電極駆動信号を前記補助容量電極駆動信号線に出力するステップと、
前記表示部の外部に設けられた補助容量電位設定回路が前記補助容量電極駆動信号の電位を設定するステップと
を含み、
前記補助容量電位設定回路は、容量素子と、前記補助容量電極駆動信号線に接続されたアノードおよびグランド配線に接続されたカソードを有する整流素子とを含み、
前記整流素子のアノードと前記補助容量電極駆動信号線との接続点は、前記容量素子を介して前記補助容量電極駆動回路と接続され、
前記補助容量電極駆動信号の電位を設定するステップでは、前記整流素子のアノードの電位が前記補助容量電極駆動信号の電位とされることを特徴とする、駆動方法。
【発明の詳細な説明】
【技術分野】
【０００１】
本発明は、液晶表示装置の駆動回路および駆動方法に関し、特に、補助容量電極を駆動するための駆動回路および駆動方法に関する。
【背景技術】
【０００２】
近年、スイッチング素子としてＴＦＴ（Ｔｈｉｎ  Ｆｉｌｍ  Ｔｒａｎｓｉｓｔｏｒ：薄膜トランジスタ）を備えるアクティブマトリクス型液晶表示装置が知られている。この液晶表示装置は、互いに対向する２枚の絶縁性の基板から構成される液晶パネルを備えている。液晶パネルの一方の基板には、走査信号線（ゲートバスライン）と映像信号線（ソースバスライン）とが格子状に設けられ、走査信号線と映像信号線との交差点近傍にＴＦＴが設けられている。ＴＦＴは、走査信号線から分岐しているゲート電極、映像信号線から分岐しているソース電極、およびドレイン電極とから構成される。ドレイン電極は、画像を形成するために基板上にマトリクス状に配置された画素電極と接続されている。また、液晶パネルの他方の基板には、画素電極との間に電圧を印加するための電極（以下「共通電極」という）が設けられており、画素電極と共通電極とによって液晶容量が形成されている。
【０００３】
このような液晶表示装置では、各走査信号線を１水平走査期間ずつ順次に選択するために、アクティブな走査信号の各走査信号線への印加が１垂直走査期間を周期として繰り返される。このため、各液晶容量に蓄積された電荷は、ほぼ１垂直走査期間保持されなければならない。ところが、液晶容量だけではその蓄積された電荷が保持されないので、液晶容量と並列に補助容量が設けられている。
【０００４】
図５は、従来の液晶表示装置のＴＦＴ近傍を示す回路図である。ＴＦＴ５１のゲート電極５７は走査信号線ＧＬと接続され、ソース電極５８は映像信号線ＳＬと接続され、ドレイン電極５９は画素電極５２と接続されている。また、液晶容量５５と補助容量５６とが並列に設けられている。液晶容量５５は画素電極５２と共通電極５３とによって形成され、補助容量５６は画素電極５２と補助容量電極５４とによって形成されている。
【０００５】
ところで、上述のような液晶表示装置では、補助容量電極５４は画素電極５２と同一の基板上に設けられており、製造不良等により画素電極５２と補助容量電極５４との間にはリーク電流が生じる可能性がある。ここで、図５および図６を参照しつつ、画素電極５２と補助容量電極５４との間にリーク電流が生じたときの影響について説明する。図５に示す構成において画素電極５２と補助容量電極５４との間にリーク電流が生じているとき、液晶表示装置の動作上、図６に示すように短絡したものとみなすことができ、画素電極５２の電位と補助容量電極５４の電位とは等しくなる。その結果、液晶容量５５には補助容量電極５４と共通電極５３との電位差に相当する電圧が印加される。ここで、従来より、補助容量電極５４の電位（以下「ＣＳ電位」という）Ｖｃｓと共通電極５３の電位（以下「ＣＯＭ電位」という）Ｖｃｏｍとは等しくなるように駆動されている。このため、例えばノーマリホワイト方式が採用されている液晶表示装置においては、上述のようなリーク電流が生じたところは輝点として視認される。これは輝点欠陥と呼ばれており、従来より、このような輝点欠陥についてはレーザー等により黒く表示する処置（黒点化）が施されている。
【０００６】
そこで、ＣＳ電位ＶｃｓとＣＯＭ電位Ｖｃｏｍとの間に常に所定の電位差が生じるように補助容量電極５４と共通電極５３とを駆動する液晶表示装置が提案されている。図７は、その液晶表示装置の全体構成を示すブロック図である。この液晶表示装置は、ゲート電源１００と表示制御回路２００と映像信号線駆動回路３００走査信号線駆動回路４００と液晶パネル５００と共通電極駆動回路６００と補助容量電極駆動回路７００とＣＳ電位設定回路８００とを備えている。液晶パネル５００の内部には、複数の走査信号線ＧＬと複数の映像信号線ＳＬとが互いに格子状に設けられており、その複数の走査信号線ＧＬと映像信号線ＳＬとの交差点にそれぞれ対応してスイッチ素子としてのＴＦＴ５１が設けられている。ＴＦＴ５１のゲート電極５７は走査信号線ＧＬと接続され、ソース電極５８は映像信号線ＳＬと接続され、ドレイン電極５９は画素電極５２と接続されている。画素電極５２と対向して共通電極５３が設けられ、画素電極５２と共通電極５３とによって液晶容量５５が形成されている。また、画素電極５２が設けられている基板上には補助容量電極５４も設けられており、画素電極５２と補助容量電極５４とによって補助容量５６が形成されている。走査信号線ＧＬは走査信号線駆動回路４００と接続され、映像信号線ＳＬは映像信号線駆動回路３００と接続されている。補助容量電極５４は補助容量電極駆動信号線ＣｓＬと接続され、補助容量電極駆動信号線ＣｓＬは補助容量電極駆動回路７００と接続されている。なお、液晶パネル５００の内部の構成については、説明の便宜上、一部のみを示している。
【０００７】
補助容量電極５４を駆動するための補助容量電極駆動信号は補助容量電極駆動回路７００より出力される。ところで、補助容量電極駆動信号によって補助容量電極５４に与えられるＣＳ電位Ｖｃｓの上限値は後述のようにＣＳ電位設定回路８００によって設定される。図７に示すように、ＣＳ電位設定回路８００は、ダイオード８１と、抵抗器８３、８４と、コンデンサ８５とを備えている。ダイオード８１のアノードは、補助容量電極駆動信号線ＣｓＬと接続されている。一方、ダイオード８１のカソードは、ゲートＯＦＦ電源ラインＧｏｆｆＬと接続されている。また、ゲートＯＦＦ電源ラインＧｏｆｆＬの一端はグランド配線８２と接続されている。ダイオード８１のアノードと補助容量電極駆動信号線ＣｓＬとの接続点ｂは、コンデンサ８５を介して補助容量電極駆動回路７００と接続されている。このような構成により、ＣＳ電位設定回路８００は、いわゆるクランプ回路として機能している。なお、ゲートＯＦＦ電源ラインＧｏｆｆＬとは、ゲート電源１００から走査信号線駆動回路４００に供給すべき電圧のうち低電位の電圧（以下「ゲートＯＦＦ電圧」という）を供給するための電源ラインのことである。また、ゲート電源１００から走査信号線駆動回路４００に供給すべき電圧のうち高電位の電圧を以下「ゲートＯＮ電圧」という。
【０００８】
次に、図７、図８および図９を参照しつつ、補助容量電極５４の駆動について説明する。ダイオード８１のアノードと補助容量電極駆動信号線ＣｓＬとの接続点ｂは、コンデンサ８５の一端と接続されている。図８は、そのコンデンサ８５の他端と補助容量電極駆動回路７００との接続点ｄの電位の変化を示す波形図である。図９は、接続点ｂの電位の変化を示す波形図である。なお、図８および図９において、ダイオード８１のカソードとゲートＯＦＦ電源ラインＧｏｆｆＬとの接続点ａの電位を符号Ｖａで示し、接続点ｂの電位を符号Ｖｂで示し、接続点ｄの電位を符号Ｖｄで示している。また、接続点ｄの電位Ｖｄが高電位にあるときの電位Ｖｄと電位Ｖａとの電位差（Ｖｄ−Ｖａ）を符号Ｖｃで示し、接続点ｄの電位Ｖｄが低電位にあるときの電位Ｖｄと電位Ｖａとの電位差（Ｖａ−Ｖｄ）を符号Ｖｅで示している。補助容量電極駆動回路７００から１水平走査期間（１Ｈ）毎に高電位と低電位とが交互に現れる補助容量電極駆動信号が出力され、電位Ｖｄは図８に示すように変化する。電位Ｖｄが電位Ｖａより低いとき、電位Ｖｂと電位Ｖａとが同電位になるまで、電位Ｖｄの上昇にしたがって電位Ｖｂも上昇する。このとき、ダイオード８１は非導通状態となっている。電位Ｖｄがさらに上昇すると、電位Ｖｂと電位Ｖａとが同電位になった時からダイオード８１は導通状態となる。コンデンサ８５は、電位Ｖｄと電位Ｖａとの電位差に応じて充電される。また、電位Ｖｂは、電位Ｖａより高くなることはない。電位Ｖｄが下降すると、それにしたがって電位Ｖｂも下降する。このとき、電位Ｖｂは、電位Ｖａより、電位Ｖｄと電位Ｖａとの電位差（Ｖａ−Ｖｄ）とコンデンサ８５の充電による電位差との和に相当する電位差だけ低くなる。その結果、電位Ｖｂの変化は、図９に示すようなものとなる。ここで、接続点ｂと補助容量電極５４とは同電位にあるので、ＣＳ電位Ｖｃｓの変化も図９に示すようなものとなる。これに対して、ＣＯＭ電位Ｖｃｏｍも１水平走査期間（１Ｈ）毎に高電位と低電位とが交互に現れるように変化するが、その下限値はグランド電位ＧＮＤとほぼ等しくなっている。以上より、ＣＳ電位ＶｃｓとＣＯＭ電位Ｖｃｏｍの変化は図１０に示すようなものとなる。なお、ダイオード８１が導通する際には電圧降下が生じるが、その電圧降下は充分に小さいので、本説明においては無視している。
【０００９】
図１０に示すように、ＣＳ電位ＶｃｓとＣＯＭ電位Ｖｃｏｍとの間には、常に所定の電位差が保たれている。リーク電流が生じると、上述したように液晶容量５５にはＣＳ電位ＶｃｓとＣＯＭ電位Ｖｃｏｍとの電位差に相当する電圧が印加される。ノーマリホワイト方式が採用されている液晶表示装置の場合、ＣＳ電位ＶｃｓとＣＯＭ電位Ｖｃｏｍとが同電位であればリーク電流が生じているところは輝点となるが、ＣＳ電位ＶｃｓとＣＯＭ電位Ｖｃｏｍとの間に常に所定の電位差を保つことによりリーク電流が生じているところを黒表示とすることができる。
【先行技術文献】
【特許文献】
【００１０】
【特許文献１】特開平２００１−１８８２１７号公報
【発明の概要】
【発明が解決しようとする課題】
【００１１】
ところが、上述のような液晶表示装置によると、ゲートＯＦＦ電源ラインＧｏｆｆＬ等の電源ラインによって供給される電圧に基づいてＣＳ電位Ｖｃｓの上限値が設定される。このため、上述のようにＣＳ電位Ｖｃｓの上限値を設定するためにゲートＯＦＦ電源ラインＧｏｆｆＬを採用する場合、ゲート電源１００には、走査信号線駆動回路４００に供給するゲートＯＮ電圧、ゲートＯＦＦ電圧に加え、ＣＳ電位Ｖｃｓの上限値を設定するための電圧を供給することができる電源能力が必要となる。また、図７に示すようなＣＳ電位設定回路８００を構成するための部品等のコストも必要となっている。
【００１２】
そこで、本発明では、消費電力の低減およびコストダウンを実現しつつリーク電流に起因する輝点欠陥の発生を防止することができる液晶表示装置ならびにその駆動回路および駆動方法を提供することを目的とする。
【課題を解決するための手段】
【００１３】
第１の発明は、画像を表示するためにマトリクス状に配置された画素電極と、第１の所定容量である液晶容量が形成されるように前記画素電極と対向して設けられ所定期間毎に高電位と低電位とに交互に設定される共通電極と、第２の所定容量である補助容量が形成されるように前記画素電極と同一基板上に設けられ、前記共通電極との間に所定の電位差が保たれるよう前記共通電極が高電位と低電位とに交互に設定されるのと同じタイミングで高電位と低電位とに交互に設定される補助容量電極と、前記補助容量電極を駆動するための補助容量電極駆動信号を伝達する補助容量電極駆動信号線とを備える表示部を駆動する駆動回路であって、
前記補助容量電極駆動信号を前記補助容量電極駆動信号線に出力する補助容量電極駆動回路と、
容量素子と、前記補助容量電極駆動信号線に接続されたアノードおよびグランド配線に接続されたカソードを有する整流素子とを含み、前記整流素子のアノードの電位を前記補助容量電極駆動信号の電位とする補助容量電位設定回路と
を備え、
前記整流素子のアノードと前記補助容量電極駆動信号線との接続点は、前記容量素子を介して前記補助容量電極駆動回路と接続されていることを特徴とする。
【００１４】
第２の発明は、液晶表示装置であって、
第１の発明に係る駆動回路を備えることを特徴とする。
【００１５】
第３の発明は、画像を表示するためにマトリクス状に配置された画素電極と、第１の所定容量である液晶容量が形成されるように前記画素電極と対向して設けられ所定期間毎に高電位と低電位とに交互に設定される共通電極と、第２の所定容量である補助容量が形成されるように前記画素電極と同一基板上に設けられ、前記共通電極との間に所定の電位差が保たれるよう前記共通電極が高電位と低電位とに交互に設定されるのと同じタイミングで高電位と低電位とに交互に設定される補助容量電極と、前記補助容量電極を駆動するための補助容量電極駆動信号を伝達する補助容量電極駆動信号線とを備える表示部の駆動方法であって、
前記表示部の外部に設けられた補助容量電極駆動回路が前記補助容量電極駆動信号を前記補助容量電極駆動信号線に出力するステップと、
前記表示部の外部に設けられた補助容量電位設定回路が前記補助容量電極駆動信号の電位を設定するステップと
を含み、
前記補助容量電位設定回路は、容量素子と、前記補助容量電極駆動信号線に接続されたアノードおよびグランド配線に接続されたカソードを有する整流素子とを含み、
前記整流素子のアノードと前記補助容量電極駆動信号線との接続点は、前記容量素子を介して前記補助容量電極駆動回路と接続され、
前記補助容量電極駆動信号の電位を設定するステップでは、前記整流素子のアノードの電位が前記補助容量電極駆動信号の電位とされることを特徴とする。
【発明の効果】
【００１６】
上記第１の発明によれば、補助容量電極と共通電極との間に所定の電位差を保つための構成に関し、補助容量電極駆動信号の電位を設定する補助容量電位設定回路は整流素子と容量素子とを備え、整流素子については、アノードは補助容量電極駆動信号線に接続され、カソードはグランド配線に接続されている。また、容量素子については、一端は整流素子のアノードと補助容量電極駆動信号線との接続点に接続され、他端は補助容量電極駆動信号を出力する補助容量電極駆動回路に接続されている。このような構成により、グランド電位を基準として補助容量電極駆動信号の電位の上限値が設定される。一方、従来においては、補助容量電極に印加される補助容量電極駆動信号の電位の上限値は、液晶表示装置内の電源ラインより供給される電圧に基づき設定されていた。以上より、従来に比して、必要な電源供給能力が低減されるとともに、簡単な回路構成で補助容量電位設定回路を実現することができる。これにより、電源用のＩＣの小型化やコストダウンを図りつつ、補助容量にリーク電流が生じた際の輝点欠陥の発生を防止することができる。
【００１７】
上記第２の発明によれば、液晶表示装置において、従来に比して補助容量電位設定回路を簡単な回路構成としても、補助容量にリーク電流が生じた際に輝点欠陥の発生を防止することができる。これにより、従来よりも消費電力の低減、小型化およびコストダウンを図ることができる液晶表示装置が提供される。
【図面の簡単な説明】
【００１８】
【図１】本発明の一実施形態に係る液晶表示装置の全体構成を示すブロック図である。
【図２】上記実施形態において、補助容量電極駆動回路から出力される補助容量駆動信号の信号波形図である。
【図３】上記実施形態において、ＣＳ電位設定回路内のダイオードのアノードと補助容量電極駆動信号線との接続点の電位の変化を示す波形図である。
【図４】上記実施形態における補助容量電極および共通電極の電位の変化を示す波形図である。
【図５】画素電極と補助容量電極との間にリーク電流が生じたときの影響を説明するための図である。
【図６】画素電極と補助容量電極との間にリーク電流が生じたときの影響を説明するための図である。
【図７】従来例における液晶表示装置の全体構成を示すブロック図である。
【図８】従来例において、補助容量電極駆動回路から出力される補助容量駆動信号の信号波形図である。
【図９】従来例において、ＣＳ電位設定回路内のダイオードのアノードと補助容量電極駆動信号線との接続点の電位の変化を示す波形図である。
【図１０】従来例における補助容量電極および共通電極の電位の変化を示す波形図である。
【発明を実施するための形態】
【００１９】
以下、添付図面を参照しつつ本発明の実施形態について説明する。
【００２０】
＜１．全体の構成および動作＞
図１は、本発明の一実施形態に係る液晶表示装置の全体構成を示すブロック図である。この液晶表示装置は、ゲート電源１００と表示制御回路２００と映像信号線駆動回路３００走査信号線駆動回路４００と液晶パネル５００と共通電極駆動回路６００と補助容量電極駆動回路７００とＣＳ電位設定回路８００とを備えている。液晶パネル５００の内部には、複数の走査信号線ＧＬと複数の映像信号線ＳＬとが互いに格子状に設けられており、その複数の走査信号線ＧＬと映像信号線ＳＬとの交差点にそれぞれ対応してスイッチ素子としてのＴＦＴ５１が設けられている。ＴＦＴ５１のゲート電極５７は走査信号線ＧＬと接続され、ソース電極５８は映像信号線ＳＬと接続され、ドレイン電極５９は画素電極５２と接続されている。画素電極５２と対向して共通電極５３が設けられ、画素電極５２と共通電極５３とによって液晶容量５５が形成されている。また、画素電極５２が設けられている基板上には補助容量電極５４も設けられており、画素電極５２と補助容量電極５４とによって補助容量５６が形成されている。走査信号線ＧＬは走査信号線駆動回路４００と接続され、映像信号線ＳＬは映像信号線駆動回路３００と接続されている。補助容量電極５４は補助容量電極駆動信号線ＣｓＬと接続され、補助容量電極駆動信号線ＣｓＬは補助容量電極駆動回路７００と接続されている。なお、液晶パネル５００の内部の構成については、説明の便宜上、一部のみを示している。
【００２１】
ゲート電源１００は、ゲートＯＮ電圧とゲートＯＦＦ電圧とを出力する。表示制御回路２００は、外部から画像データＤｖを受け取り、表示用の画像データＤａと、液晶パネル５００に画像を表示するタイミングを制御するための水平同期信号ＨＳＹ、垂直同期信号ＶＳＹ、クロック信号ＣＫおよびスタートパルス信号ＳＰを出力する。映像信号線駆動回路３００は、表示制御回路２００から出力された画像データＤａ、クロック信号ＣＫおよびスタートパルス信号ＳＰに基づき、液晶パネル５００を駆動するための映像信号を生成し、これを液晶パネル５００の各映像信号線ＳＬに印加する。走査信号線駆動回路４００は、各走査信号線ＧＬを１水平走査期間ずつ順次選択するために、表示制御回路２００から出力された水平同期信号ＨＳＹおよび垂直同期信号ＶＳＹに基づいて、アクティブな走査信号の各走査信号線ＧＬへの印加を１垂直走査期間を周期として繰り返す。
【００２２】
共通電極駆動回路６００は、共通電極５３を駆動する。補助容量電極駆動回路７００は、補助容量電極５４を駆動するための補助容量電極駆動信号を出力する。ＣＳ電位設定回路８００は、後述するように、補助容量電極５４に与えるＣＳ電位Ｖｃｓの上限値を設定する。
【００２３】
ＣＳ電位設定回路８００は、ダイオード（整流素子）８１とコンデンサ（容量素子）８５とを備えている。ダイオード８１のアノードは、補助容量電極駆動信号線ＣｓＬと接続されている。一方、ダイオード８１のカソードは、グランド配線８２と接続されている。ダイオード８１のアノードと補助容量電極駆動信号線ＣｓＬとの接続点ｂは、コンデンサ８５を介して補助容量電極駆動回路７００と接続されている。このような構成により、ＣＳ電位設定回路８００は、いわゆるクランプ回路として機能している。
【００２４】
＜２．駆動方法＞
次に、図１、図２および図３を参照しつつ、本実施形態における補助容量電極５４および共通電極５３の駆動方法について説明する。ダイオード８１のアノードと補助容量電極駆動信号線ＣｓＬとの接続点ｂは、コンデンサ８５の一端と接続されている。図２は、そのコンデンサ８５の他端と補助容量電極駆動回路７００との接続点ｄの電位Ｖｄの変化を示す波形図である。図３は、接続点ｂの電位Ｖｂの変化を示す波形図である。なお、図２および図３において、グランド電位をＧＮＤで示している。また、接続点ｄの電位Ｖｄが高電位にあるときの電位Ｖｄとグランド電位ＧＮＤとの電位差（Ｖｄ−ＧＮＤ）を符号Ｖｆで示し、接続点ｄの電位Ｖｄが低電位にあるときの電位Ｖｄとグランド電位ＧＮＤとの電位差（ＧＮＤ−Ｖｄ）を符号Ｖｇで示している。補助容量電極駆動回路７００から１水平走査期間（１Ｈ）毎に高電位と低電位とが交互に現れる補助容量電極駆動信号が出力され、電位Ｖｄは図２に示すように変化する。電位Ｖｄがグランド電位ＧＮＤより低いとき、電位Ｖｂがグランド電位ＧＮＤになるまで、電位Ｖｄの上昇にしたがって電位Ｖｂも上昇する。このとき、ダイオード８１は非導通状態となっている。電位Ｖｄがさらに上昇すると、電位Ｖｂがグランド電位ＧＮＤになった時からダイオード８１は導通状態となる。コンデンサ８５は、電位Ｖｄとグランド電位ＧＮＤとの電位差に応じて充電される。また、電位Ｖｂは、グランド電位ＧＮＤより高くなることはない。電位Ｖｄが下降すると、それにしたがって電位Ｖｂも下降する。このとき、電位Ｖｂは、グランド電位ＧＮＤより、電位Ｖｄとグランド電位ＧＮＤとの電位差（ＧＮＤ−Ｖｄ）とコンデンサ８５の充電による電位差との和に相当する電位差だけ低くなる。その結果、電位Ｖｂの変化は、図３に示すようなものとなる。ここで、接続点ｂと補助容量電極５４とは同電位にあるので、ＣＳ電位Ｖｃｓの変化も図３に示すようなものとなる。これに対して、ＣＯＭ電位Ｖｃｏｍも１水平走査期間（１Ｈ）毎に高電位と低電位とが交互に現れるように変化するが、ＣＯＭ電位Ｖｃｏｍについては下限値がグランド電位とほぼ等しくなっている。以上より、ＣＳ電位ＶｃｓとＣＯＭ電位Ｖｃｏｍの変化は図４に示すようなものとなる。
【００２５】
＜３．作用＞
図４に示すように、ＣＳ電位ＶｃｓとＣＯＭ電位Ｖｃｏｍとは同じタイミングで高電位と低電位とが繰り返される。ＣＳ電位Ｖｃｓについては、上限値がほぼグランド電位ＧＮＤに設定される。一方、ＣＯＭ電位Ｖｃｏｍについては、下限値がほぼグランド電位ＧＮＤに設定される。これにより、ＣＳ電位ＶｃｓとＣＯＭ電位Ｖｃｏｍとの間には、常に所定の電位差が保たれている。
【００２６】
ここで、画素電極５２と補助容量電極５４との間にリーク電流が生じると、液晶容量５５にはＣＳ電位ＶｃｓとＣＯＭ電位Ｖｃｏｍとの電位差に相当する電圧が印加される。本実施形態においては図４で参照符号Ｖで示す電圧が印加される。このようにＣＳ電位ＶｃｓとＣＯＭ電位Ｖｃｏｍとの間には常に所定の電位差が保たれているので、ノーマリホワイト方式が採用されている液晶表示装置の場合、リーク電流が生じても輝点欠陥の発生を防止することができる。
【００２７】
＜４．効果＞
以上説明したように、本実施形態では、ＣＳ電位設定回路８００内において、ダイオード８１のアノードは補助容量電極駆動信号線ＣｓＬと接続され、ダイオード８１のカソードはグランド配線８２と接続されている。さらに、ダイオード８１のアノードと補助容量電極駆動信号線ＣｓＬとの接続点ｂは、コンデンサ８５を介して補助容量電極駆動回路７００と接続されている。これにより、ＣＳ電位設定回路８００がクランプ回路として機能し、ＣＳ電位Ｖｃｓの上限値がグランド電位に設定される。ＣＯＭ電位Ｖｃｏｍについては下限値がグランド電位に設定されているので、ＣＳ電位ＶｃｓとＣＯＭ電位Ｖｃｏｍとの間に所定の電位差を保つことができる。
【００２８】
一方、従来においては、ＣＳ電位ＶｃｓとＣＯＭ電位Ｖｃｏｍとの間に所定の電位差を保つために、例えばゲートＯＦＦ電源ラインなど装置内の電源ラインより供給される電圧に基づいてＣＳ電位Ｖｃｓの上限値が設定されていた。本実施形態と従来例とを比較すると、本実施形態ではＣＳ電位ＶｃｓとＣＯＭ電位Ｖｃｏｍとの間に所定の電位差を保つために装置内の電源ラインを必要としていないので、本実施形態の方が消費電力を低減することができる。これにより、ゲート電源等に必要とされる電源供給能力が低減されるので、電源用のＩＣの小型化やコストダウンを図ることができる。さらに、本実施形態によると、従来例に比して、ＣＳ電位設定回路８００を構成するための部品を削減することができる。これにより、液晶表示装置のさらなる小型化やコストダウンを図ることができる。このように、リーク電流が生じた際に輝点欠陥の発生を防止することができ、なおかつ、従来よりも消費電力の低減、小型化およびコストダウンを図ることができる液晶表示装置を提供することができる。
【符号の説明】
【００２９】
５１…ＴＦＴ
５２…画素電極
５３…共通電極
５４…補助容量電極
５５…液晶容量
５６…補助容量
８１…ダイオード（整流素子）
８２…グランド配線
８５…コンデンサ（容量素子）
１００…ゲート電源
５００…液晶パネル
６００…共通電極駆動回路
７００…補助容量電極駆動回路
８００…ＣＳ電位設定回路
Ｖｃｏｍ…共通電極の電位
Ｖｃｓ…補助容量電極の電位
【図１】
2010092063.tif 000003
【図２】
2010092063.tif 000004
【図３】
2010092063.tif 000005
【図４】
2010092063.tif 000006
【図５】
2010092063.tif 000007
【図６】
2010092063.tif 000008
【図７】
2010092063.tif 000009
【図８】
2010092063.tif 000010
【図９】
2010092063.tif 000011
【図１０】
2010092063.tif 000012